(57)【要約】      （修正有）【課題】特定セルから報知される信号の受信品質の測定／報告を選択的に行うことを可能とする移動通信端末、ネットワーク装置、移動通信システム及び移動通信方法を提供する。【解決手段】移動通信システム１００は、ＵＥ１０の移動速度、ＵＥ１０の位置情報、及び、特定セルの利用状況のうち、少なくともいずれか一つの情報に基づいて、特定セルから報知される信号の受信品質を測定するか否かを判定するように構成される。ＵＥ１０は、特定セルから報知される信号の受信品質を測定すると判定された場合に、特定セルから報知される信号の受信品質を測定するように構成される。【選択図】図１
2011114849.tif 000002
【特許請求の範囲】
【請求項１】
アクセス種別を設定可能に構成された特定セルを有する移動通信システムにおいて、ネットワーク装置と通信を行うように構成された移動通信端末であって、
前記移動通信端末の移動速度、前記移動通信端末の位置情報、及び、前記特定セルの利用状況のうち、少なくともいずれか一つの情報に基づいて、前記特定セルから報知される信号の受信品質を測定するか否かを判定するように構成された判定部と、
前記特定セルから報知される信号の受信品質を測定すると判定された場合に、前記特定セルから報知される信号の受信品質を測定するように構成された測定部とを備えることを特徴とする移動通信端末。
【請求項２】
前記特定セルへのアクセス権を前記移動通信端末が有しているか否かを前記ネットワーク装置に報告するように構成された報告部をさらに備えることを特徴とする請求項１に記載の移動通信端末。
【請求項３】
前記特定セルの識別子を前記ネットワーク装置に報告するように構成された報告部をさらに備えることを特徴とする請求項１に記載の移動通信端末。
【請求項４】
アクセス種別を設定可能に構成された特定セルを有する移動通信システムにおいて、移動通信端末と通信を行うように構成されたネットワーク装置であって、
前記移動通信端末の移動速度、前記移動通信端末の位置情報、及び、前記特定セルの利用状況のうち、少なくともいずれか一つの情報に基づいて、前記特定セルから報知される信号の受信品質を前記移動通信端末に測定させるか否かを判定するように構成された判定部と、
前記特定セルから報知される信号の受信品質を前記移動通信端末に測定させると判定された場合に、前記特定セルから報知される信号の受信品質の測定を前記移動通信端末に指示する指示部とを備えることを特徴とするネットワーク装置。
【請求項５】
前記指示部は、前記特定セルへのアクセス権を前記移動通信端末が有しているか否かを報告するように前記移動通信端末に指示することを特徴とする請求項４に記載のネットワーク装置。
【請求項６】
前記指示部は、記特定セルの識別子を報告するように前記移動通信端末に指示することを特徴とする請求項４に記載のネットワーク装置。
【請求項７】
前記指示部は、前記移動通信端末が受信品質を測定すべき特定セルに設定されるアクセス種別を前記移動通信端末に指示することを特徴とする請求項４に記載のネットワーク装置。
【請求項８】
アクセス種別を設定可能に構成された特定セルを有する移動通信システムであって、
移動通信端末の移動速度、前記移動通信端末の位置情報、及び、前記特定セルの利用状況のうち、少なくともいずれか一つの情報に基づいて、前記特定セルから報知される信号の受信品質を測定するか否かを判定するように構成された判定部を備え、
前記移動通信端末は、前記特定セルから報知される信号の受信品質を測定すると判定された場合に、前記特定セルから報知される信号の受信品質を測定するように構成されることを特徴とする移動通信システム。
【請求項９】
アクセス種別を設定可能に構成された特定セルを有する移動通信システムに適用される移動通信方法であって、
移動通信端末の移動速度、前記移動通信端末の位置情報、及び、前記特定セルの利用状況のうち、少なくともいずれか一つの情報に基づいて、前記特定セルから報知される信号の受信品質を測定するか否かを判定するステップと、
前記特定セルから報知される信号の受信品質を測定すると判定された場合に、前記移動通信端末が、前記特定セルから報知される信号の受信品質を測定するステップとを備えることを特徴とする移動通信方法。
【発明の詳細な説明】
【技術分野】
【０００１】
本発明は、アクセス種別を設定可能に構成された特定セルを有する移動通信システム、移動通信システムで用いられる移動通信端末、ネットワーク装置及び移動通信方法に関する。
【背景技術】
【０００２】
ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている。なお、特定セルには、アクセス種別を設定することが可能である。アクセス種別は、「Ｃｌｏｓｅｄ」、「Ｈｙｂｒｉｄ」又は「Ｏｐｅｎ」である。
【０００３】
「Ｃｌｏｓｅｄ」の特定セルは、特定のＵＥ（Ｕｓｅｒ  Ｅｑｕｉｐｍｅｎｔ）のアクセスのみが許可されるように構成される。「Ｈｙｂｒｉｄ」の特定セルは、特定のＵＥに対して他のＵＥよりも高品質の通信が許可されるように構成される。「Ｏｐｅｎ」の特定セルは、一般的なマクロセルと同様に、全てのＵＥのアクセスが許可されるように構成される。
【０００４】
ここで、マクロセルから特定セルへの遷移において、ＵＥは、特定セルから報知される信号（例えば、パイロットチャネル）の受信品質を測定して、測定結果をネットワーク側に報告する必要がある。
【０００５】
ところで、３ＧＰＰ規格では、受信品質を測定／報告すべきセルのリスト（ＮＣＬ；Ｎｅｉｇｂｏｕｒ  Ｃｅｌｌ  Ｌｉｓｔ）をネットワーク側からＵＥに対して通知することが規定されている（例えば、非特許文献１）。
【０００６】
従って、３ＧＰＰ規格では、受信品質を測定／報告すべきセルのリスト（ＮＣＬ）に特定セルを含めるか否かによって、特定セルから報知される信号の受信品質をＵＥに選択的に測定／報告させることができる。
【先行技術文献】
【非特許文献】
【０００７】
【非特許文献１】３ＧＰＰ  ＴＳ３６．３３１  ｖ８．６．０
【発明の概要】
【発明が解決しようとする課題】
【０００８】
しかしながら、マクロセルよりも小さいサービスエリアを有する多数の特定セルが設けられるケースでは、受信品質を測定／報告すべきセルのリスト（ＮＣＬ）に特定セルを含めるか否かをネットワーク側で管理／制御することが困難である。
【０００９】
また、ＬＴＥ（Ｌｏｎｇ  Ｔｅｒｍ  Ｅｖｏｌｕｔｉｏｎ）などのように、受信品質を測定／報告すべきセルのリスト（ＮＣＬ）を用いない通信システムでは、特定セルから報知される信号の受信品質をＵＥに選択的に測定／報告させることができない。
【００１０】
そこで、本発明は、上述した課題を解決するためになされたものであり、特定セルから報知される信号の受信品質の測定／報告を選択的に行うことを可能とする移動通信端末、ネットワーク装置、移動通信システム及び移動通信方法を提供することを目的とする。
【課題を解決するための手段】
【００１１】
第１の特徴に係る移動通信端末は、アクセス種別を設定可能に構成された特定セルを有する移動通信システムにおいて、ネットワーク装置と通信を行うように構成される。移動通信端末は、前記移動通信端末の移動速度、前記移動通信端末の位置情報、及び、前記特定セルの利用状況のうち、少なくともいずれか一つの情報に基づいて、前記特定セルから報知される信号の受信品質を測定するか否かを判定するように構成された判定部と、前記特定セルから報知される信号の受信品質を測定すると判定された場合に、前記特定セルから報知される信号の受信品質を測定するように構成された測定部とを備える。
【００１２】
第１の特徴において、移動通信端末は、前記特定セルへのアクセス権を前記移動通信端末が有しているか否かを前記ネットワーク装置に報告するように構成された報告部をさらに備える。
【００１３】
第１の特徴において、移動通信端末は、前記特定セルの識別子を前記ネットワーク装置に報告するように構成された報告部をさらに備える。
【００１４】
第２の特徴に係るネットワーク装置は、アクセス種別を設定可能に構成された特定セルを有する移動通信システムにおいて、移動通信端末と通信を行うように構成される。ネットワーク装置は、前記移動通信端末の移動速度、前記移動通信端末の位置情報、及び、前記特定セルの利用状況のうち、少なくともいずれか一つの情報に基づいて、前記特定セルから報知される信号の受信品質を前記移動通信端末に測定させるか否かを判定するように構成された判定部と、前記特定セルから報知される信号の受信品質を前記移動通信端末に測定させると判定された場合に、前記特定セルから報知される信号の受信品質の測定を前記移動通信端末に指示する指示部とを備える。
【００１５】
第２の特徴において、前記指示部は、前記特定セルへのアクセス権を前記移動通信端末が有しているか否かを報告するように前記移動通信端末に指示する。
【００１６】
第２の特徴において、前記指示部は、前記特定セルの識別子を報告するように前記移動通信端末に指示する。
【００１７】
第２の特徴において、前記指示部は、前記移動通信端末が受信品質を測定すべき特定セルに設定されるアクセス種別を前記移動通信端末に指示する。
【００１８】
第３の特徴に係る移動通信システムは、アクセス種別を設定可能に構成された特定セルを有する。移動通信システムは、移動通信端末の移動速度、前記移動通信端末の位置情報、及び、前記特定セルの利用状況のうち、少なくともいずれか一つの情報に基づいて、前記特定セルから報知される信号の受信品質を測定するか否かを判定するように構成された判定部を備える。前記移動通信端末は、前記特定セルから報知される信号の受信品質を測定すると判定された場合に、前記特定セルから報知される信号の受信品質を測定するように構成される。
【００１９】
第４の特徴に係る移動通信方法は、アクセス種別を設定可能に構成された特定セルを有する移動通信システムに適用される。移動通信方法は、移動通信端末の移動速度、前記移動通信端末の位置情報、及び、前記特定セルの利用状況のうち、少なくともいずれか一つの情報に基づいて、前記特定セルから報知される信号の受信品質を測定するか否かを判定するステップと、前記特定セルから報知される信号の受信品質を測定すると判定された場合に、前記移動通信端末が、前記特定セルから報知される信号の受信品質を測定するステップとを備える。
【発明の効果】
【００２０】
本発明によれば、特定セルから報知される信号の受信品質の測定／報告を選択的に行うことを可能とする移動通信端末、ネットワーク装置、移動通信システム及び移動通信方法を提供することができる。
【図面の簡単な説明】
【００２１】
【図１】第１実施形態に係る移動通信システム１００を示す図である。
【図２】第１実施形態に係るＵＥ１０を示す図である。
【図３】第１実施形態に係るネットワーク装置２０を示す図である。
【図４】第１実施形態に係る指示フォーマットの一例を示す図である
【図５】第１実施形態に係る移動通信システム１００の動作を示すシーケンス図である。
【図６】変更例１に係る移動通信システム１００を示す図である。
【図７】変更例２に係る移動通信システム１００を示す図である。
【発明を実施するための形態】
【００２２】
以下において、本発明の実施形態に係る移動通信システムについて、図面を参照しながら説明する。なお、以下の図面の記載において、同一又は類似の部分には、同一又は類似の符号を付している。
【００２３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２４】
［実施形態の概要］
実施形態に係る移動通信システムは、移動通信端末及びネットワーク装置を含み、アクセス種別を設定可能に構成された特定セルを有する。移動通信端末又はネットワーク装置は、移動通信端末の移動速度、移動通信端末の位置情報、及び、特定セルの利用状況のうち、少なくともいずれか一つの情報に基づいて、特定セルから報知される信号の受信品質を測定するか否かを判定するように構成される。移動通信端末は、特定セルから報知される信号の受信品質を測定すると判定された場合に、特定セルから報知される信号の受信品質を測定するように構成される。
【００２５】
実施形態では、移動通信端末の移動速度、移動通信端末の位置情報、及び、特定セルの利用状況のうち、少なくともいずれか一つの情報に基づいて、特定セルから報知される信号の受信品質を測定するか否かを判定する。従って、特定セルから報知される信号の受信品質の測定／報告を選択的に行うことができる。
【００２６】
なお、実施形態において、特定セルは、小規模かつ大規模に配備されるセルであることが好ましい。特定セルは、ＨＮＢ（Ｈｏｍｅ  Ｎｏｄｅ  Ｂ）、ｅＨＮＢ（Ｅｖｏｌｖｅｄ  Ｈｏｍｅ  Ｎｏｄｅ  Ｂ）、フェムトＢＴＳなどによって構成されるセルであることが好ましい。
【００２７】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２８】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２９】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００３０】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００３１】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００３２】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００３３】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有するとともに、ｅＮＢ２１０Ａ及びＨｅＮＢ２１０Ｂと無線通信を行う機能を有する。
【００３４】
ＮＢ１１０Ａは、マクロセル１１１Ａを有しており、マクロセル１１１Ａに存在するＵＥ１０と無線通信を行う装置（ＮｏｄｅＢ）である。
【００３５】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３６】
ＲＮＣ１２０Ａは、ＮＢ１１０Ａに接続されており、マクロセル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３７】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３８】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３９】
ｅＮＢ２１０Ａは、マクロセル２１１Ａを有しており、マクロセル２１１Ａに存在するＵＥ１０と無線通信を行う装置（ｅｖｏｌｖｅｄ  ＮｏｄｅＢ）である。
【００４０】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００４１】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００４２】
ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。
【００４３】
なお、マクロセル及び特定セルは、ＵＥ１０と無線通信を行う機能として理解すべきである。但し、マクロセル及び特定セルは、セルのサービスエリアを示す用語としても用いられる。また、マクロセル及び特定セルなどのセルは、セルで用いられる周波数、拡散コード又はタイムスロットなどによって識別される。
【００４４】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４５】
「Ｃｌｏｓｅｄ」の特定セルは、特定セルによって管理される特定のＵＥ１０のアクセスのみが許可されるように構成される。
【００４６】
「Ｈｙｂｒｉｄ」の特定セルは、特定セルによって管理される特定のＵＥ１０に対して高品質の通信が許可されるように構成されており、特定セルによって管理されていない他のＵＥ１０に対してベストエフォート品質の通信が許可されるように構成される。
【００４７】
「Ｏｐｅｎ」の特定セルは、マクロセルと同様に、全てのＵＥ１０のアクセスが許可されるように構成される。なお、「Ｏｐｅｎ」のセルでは、特定セルによって管理されている否かによって、ＵＥ１０間の通信品質の差異が区別されない。
【００４８】
なお、アクセス種別は、アクセスクラス毎にＵＥ１０のアクセスを禁止する「ＡＣＣＥＳＳ  ＣＬＡＳＳ  ＢＡＲＥＤ」、セル毎にＵＥ１０のアクセスを禁止する「ＣＥＬＬ  ＢＡＲＲＥＤ」であってもよい。
【００４９】
（移動通信端末の構成）
以下において、第１実施形態に係る移動通信端末の構成について、図面を参照しながら説明する。図２は、第１実施形態に係るＵＥ１０を示す図である。図３に示すように、ＵＥ１０は、通信部１１と、判定部１２と、測定部１３と、報告部１４とを有する。なお、ＵＥ１０は、ＵＥ１０がアクセス可能な特定セルを管理しているものとする。
【００５０】
通信部１１は、ＮＢ１１０Ａ及びＨＮＢ１１０Ｂと無線通信を行う。また、通信部１１は、ｅＮＢ２１０Ａ、ＨｅＮＢ２１０Ｂと無線通信を行う。
【００５１】
判定部１２は、ＨＮＢ１１０Ｂ又はＨｅＮＢ２１０Ｂに設けられた特定セルから報知される信号（例えば、パイロットチャネル）の受信品質を測定するか否かを判定する。具体的には、判定部１２は、ＵＥ１０の移動速度、ＵＥ１０の位置情報、及び、特定セルの利用状況のうち、少なくともいずれか一つの情報に基づいて、特定セルから報知される信号の受信品質を測定するか否かを判定する。また、判定部１２は、特定セルへのアクセス権の有無に基づいて、特定セルから報知される信号の受信品質を測定するか否かを判定してもよい。
【００５２】
なお、特定セルの利用状況は、特定セルの輻輳状態を示す情報であり、特定セルを利用するＵＥ１０の数、送信電力、Ｃｈａｎｎｅｌｉｓａｔｉｏｎ  Ｃｏｄｅの利用状況などである。
【００５３】
例えば、判定部１２は、ＵＥ１０の移動速度が一定速度以下である場合に、特定セルから報知される信号の受信品質を測定すると判定する。一方で、判定部１２は、ＵＥ１０の移動速度が一定速度よりも高い場合に、特定セルから報知される信号の受信品質を測定しないと判定する。なお、判定部１２は、センサによってＵＥ１０の移動速度を特定してもよく、ハンドオーバの頻度によってＵＥ１０の移動速度を特定してもよい。
【００５４】
或いは、判定部１２は、ＵＥ１０の位置情報が予め定められた位置を示す場合に、特定セルから報知される信号の受信品質を測定すると判定する。一方で、判定部１２は、ＵＥ１０の位置情報が予め定められた位置を示さない場合に、特定セルから報知される信号の受信品質を測定しないと判定する。なお、判定部１２は、ＧＰＳ機能によってＵＥ１０の位置情報を特定してもよく、他の方法によってＵＥ１０の位置情報を特定してもよい。また、「予め定められた位置」は、例えば、ＵＥ１０がアクセス可能な特定セルの位置に応じて定められる。
【００５５】
或いは、判定部１２は、特定セルを利用するＵＥ１０の数が一定数以下である場合に、特定セルから報知される信号の受信品質を測定すると判定する。一方で、判定部１２は、特定セルを利用するＵＥ１０の数が一定数よりも多い場合に、特定セルから報知される信号の受信品質を測定しないと判定する。なお、判定部１２は、特定セルを管理するネットワーク装置（ＨＮＢ１１０Ｂ、ＨＮＢ−ＧＷ１２０Ｂ、ＨｅＮＢ２１０Ｂ、ＨｅＮＢ−ＧＷ２２０Ｂなど）から、後述するネットワーク装置２０を経由して、特定セルの利用状況（特定セルを利用するＵＥ１０の数）を取得することによって、特定セルの利用状況を特定する。
【００５６】
或いは、判定部１２は、特定セルへのアクセス権をＵＥ１０が有している場合に、特定セルから報知される信号の受信品質を測定すると判定する。一方で、判定部１２は、特定セルへのアクセス権をＵＥ１０が有していない場合に、特定セルから報知される信号の受信品質を測定しないと判定する。
【００５７】
ここで、判定部１２は、ＵＥ１０の移動速度、ＵＥ１０の位置情報、及び、特定セルの利用状況のうち、少なくともいずれか一つの情報に基づいて、受信品質を測定すべき特定セルに設定されるアクセス種別（“Ｃｌｏｓｅｄ”、“Ｈｙｂｒｉｄ”、“Ｏｐｅｎ”）を判定してもよい。判定部１２は、アクセス種別（“Ｃｌｏｓｅｄ”、“Ｈｙｂｒｉｄ”、“Ｏｐｅｎ”）に基づいて、受信品質を測定すべき特定セルを特定して、特定された特定セルから報知される信号の受信品質を測定すると判定する。
【００５８】
例えば、“Ｃｌｏｓｅｄ”や“Ｈｙｂｒｉｄ”が設定された特定セルなどのように、エリア限定サービスを行う特定セルについては、判定部１２は、ＵＥ１０の移動速度が高い場合に、特定セルから報知される信号の受信品質を測定しないと判定してもよい。或いは、“Ｃｌｏｓｅｄ”や“Ｈｙｂｒｉｄ”が設定された特定セルなどのように、エリア限定サービスを行う特定セルからＵＥ１０の位置が離れている場合に、判定部１２は、特定セルから報知される信号の受信品質を測定しないと判定してもよい。
【００５９】
或いは、“Ｈｙｂｒｉｄ”や“Ｏｐｅｎ”が設定された特定セルについては、判定部１２は、特定セルの利用状況が所定閾値よりも混んでいる場合に、特定セルから報知される信号の受信品質を測定しないと判定してもよい。所定閾値は、特定セルの輻輳によって特定セルにアクセスできないレベル、或いは、ユーザが期待するサービスを受けられないレベル（スループットが著しく低下するレベル）によって定められる。このようなレベルは、予め測定されていることが好ましい。
【００６０】
上述したように、ここでは、特定セルから報知される信号の受信品質を測定するか否かについて、ＵＥ１０が自律的に判定するケースを例示した。しかしながら、実施形態は、これに限定されるものではない。
【００６１】
例えば、判定部１２は、後述するネットワーク装置２０からの指示に基づいて、特定セルから報知される信号の受信品質を測定するか否かを判定してもよい。例えば、ネットワーク装置２０からの指示に、ネットワーク装置２０の判定結果が含まれており、判定部１２は、ネットワーク装置２０の判定結果に基づいて、特定セルから報知される信号の受信品質を測定するか否かを判定してもよい。或いは、ネットワーク装置２０からの指示に、受信品質を測定すべき特定セルに設定されるアクセス種別（“Ｃｌｏｓｅｄ”、“Ｈｙｂｒｉｄ”、“Ｏｐｅｎ）が含まれており、判定部１２は、アクセス種別（“Ｃｌｏｓｅｄ”、“Ｈｙｂｒｉｄ”、“Ｏｐｅｎ）に応じて、受信品質を測定すべき特定セルを特定して、特定された特定セルから報知される信号の受信品質を測定すると判定してもよい。
【００６２】
測定部１３は、マクロセル又は特定セルから報知される信号の受信品質を測定する。マクロセルについては、測定部１３は、セルサーチ等によって見つかったマクロセルから報知される信号の受信品質を測定する。
【００６３】
一方で、特定セルについては、測定部１３は、判定部１２の判定結果に基づいて、特定セルから報知される信号の受信品質を測定する。例えば、測定部１３は、受信品質を測定すると判定された場合に、特定セルから報知される信号の受信品質を測定する。測定部１３は、受信品質を測定しないと判定された場合に、特定セルから報知される信号の受信品質を測定しない。
【００６４】
報告部１４は、測定部１３によって測定された受信品質を後述するネットワーク装置２０に報告する。
【００６５】
また、報告部１４は、セルサーチ等によって見つかった特定セルへのアクセス権をＵＥ１０が有しているか否か（アクセス権の有無）を後述するネットワーク装置２０に報告する。報告部１４は、セルサーチ等によって見つかった特定セルの識別子（例えば、“ＣＳＧ  ＩＤ”）を後述するネットワーク装置２０に報告する。
【００６６】
報告部１４は、特定セルから報知される信号の受信品質を測定した場合に、特定セルへのアクセス権の有無又は特定セルの識別子を自律的に報告してもよい。或いは、報告部１４は、後述するネットワーク装置２０からの指示に基づいて、特定セルへのアクセス権の有無又は特定セルの識別子を報告してもよい。
【００６７】
（ネットワーク装置の構成）
以下において、第１実施形態に係るネットワーク装置の構成について、図面を参照しながら説明する。図３は、第１実施形態に係るネットワーク装置２０を示す図である。図３に示すように、ネットワーク装置２０は、通信部２１と、判定部２２と、指示部２３とを有する。
【００６８】
なお、ネットワーク装置２０は、ＵＥ１０が位置登録を行っているマクロセルを管理する装置である。例えば、ＵＥ１０がマクロセル１１１Ａに位置登録を行っている場合に、ネットワーク装置２０は、ＲＮＣ１２０Ａである。また、ＵＥ１０がマクロセル２１１Ａに位置登録を行っている場合に、ネットワーク装置２０は、ｅＮＢ２１０Ａである。
【００６９】
通信部２１は、ＵＥ１０と通信を行う。また、通信部２１は、他のネットワーク装置（ＨＮＢ１１０Ｂ、ＨＮＢ−ＧＷ１２０Ｂ、ＨｅＮＢ２１０Ｂ、ＨｅＮＢ−ＧＷ２２０Ｂなど）と通信を行う。
【００７０】
判定部２２は、特定セルから報知される信号（例えば、パイロットチャネル）の受信品質をＵＥ１０に測定させるか否かを判定する。具体的には、判定部２２は、ＵＥ１０の移動速度、ＵＥ１０の位置情報、及び、特定セルの利用状況のうち、少なくともいずれか一つの情報に基づいて、特定セルから報知される信号の受信品質をＵＥ１０に測定させるか否かを判定する。また、判定部２２は、特定セルへのアクセス権の有無に基づいて、特定セルから報知される信号の受信品質をＵＥ１０に測定させるか否かを判定してもよい。
【００７１】
例えば、判定部２２は、ＵＥ１０の移動速度が一定速度以下である場合に、特定セルから報知される信号の受信品質をＵＥ１０に測定させると判定する。一方で、判定部２２は、ＵＥ１０の移動速度が一定速度よりも高い場合に、特定セルから報知される信号の受信品質をＵＥ１０に測定させないと判定する。なお、判定部２２は、ＵＥ１０の移動速度をＵＥ１０から取得することによってＵＥ１０の移動速度を特定してもよく、ハンドオーバの頻度によってＵＥ１０の移動速度を特定してもよい。
【００７２】
或いは、判定部２２は、ＵＥ１０の位置情報が予め定められた位置を示す場合に、特定セルから報知される信号の受信品質をＵＥ１０に測定させると判定する。一方で、判定部２２は、ＵＥ１０の位置情報が予め定められた位置を示さない場合に、特定セルから報知される信号の受信品質をＵＥ１０に測定させないと判定する。なお、判定部２２は、ＵＥ１０の位置情報をＵＥ１０から取得することによってＵＥ１０の位置情報を特定してもよく、他の方法によってＵＥ１０の位置情報を特定してもよい。
【００７３】
或いは、判定部２２は、特定セルを利用するＵＥ１０の数が一定数以下である場合に、特定セルから報知される信号の受信品質をＵＥ１０に測定させると判定する。一方で、判定部２２は、特定セルを利用するＵＥ１０の数が一定数よりも多い場合に、特定セルから報知される信号の受信品質をＵＥ１０に測定させないと判定する。なお、判定部２２は、特定セルを管理する他のネットワーク装置（ＨＮＢ１１０Ｂ、ＨＮＢ−ＧＷ１２０Ｂ、ＨｅＮＢ２１０Ｂ、ＨｅＮＢ−ＧＷ２２０Ｂなど）から、特定セルの利用状況（特定セルを利用するＵＥ１０の数）を取得することによって、特定セルの利用状況を特定する。
【００７４】
或いは、判定部２２は、特定セルへのアクセス権をＵＥ１０が有している場合に、特定セルから報知される信号の受信品質をＵＥ１０に測定させると判定する。一方で、判定部２２は、特定セルへのアクセス権をＵＥ１０が有していない場合に、特定セルから報知される信号の受信品質をＵＥ１０に測定させないと判定する。
【００７５】
判定部２２は、ＵＥ１０の移動速度、ＵＥ１０の位置情報、及び、特定セルの利用状況のうち、少なくともいずれか一つの情報に基づいて、受信品質を測定すべき特定セルに設定されるアクセス種別（“Ｃｌｏｓｅｄ”、“Ｈｙｂｒｉｄ”、“Ｏｐｅｎ）を判定してもよい。  例えば、“Ｃｌｏｓｅｄ”や“Ｈｙｂｒｉｄ”が設定された特定セルなどのように、エリア限定サービスを行う特定セルについては、判定部２２は、ＵＥ１０の移動速度が高い場合に、特定セルから報知される信号の受信品質を測定しないと判定してもよい。或いは、“Ｃｌｏｓｅｄ”や“Ｈｙｂｒｉｄ”が設定された特定セルなどのように、エリア限定サービスを行う特定セルからＵＥ１０の位置が離れている場合に、判定部２２は、特定セルから報知される信号の受信品質を測定しないと判定してもよい。
【００７６】
或いは、“Ｈｙｂｒｉｄ”や“Ｏｐｅｎ”が設定された特定セルについては、判定部２２は、特定セルの利用状況が所定閾値よりも混んでいる場合に、特定セルから報知される信号の受信品質を測定しないと判定してもよい。所定閾値は、特定セルの輻輳によって特定セルにアクセスできないレベル、或いは、ユーザが期待するサービスを受けられないレベル（スループットが著しく低下するレベル）によって定められる。このようなレベルは、予め測定されていることが好ましい。
【００７７】
指示部２３は、判定部２２の判定結果に基づいて、特定セルから報知される信号の受信品質の測定をＵＥ１０に指示する。具体的には、指示部２３は、特定セルから報知される信号の受信品質をＵＥ１０に測定させると判定された場合に、特定セルから報知される信号の受信品質の測定をＵＥ１０に指示する。一方で、指示部２３は、特定セルから報知される信号の受信品質をＵＥ１０に測定させないと判定された場合に、特定セルから報知される信号の受信品質の測定をＵＥ１０に指示しない。或いは、指示部２３は、特定セルから報知される信号の受信品質をＵＥ１０に測定させないと判定された場合に、特定セルから報知される信号の受信品質の測定しないようにＵＥ１０に指示する。
【００７８】
また、指示部２３は、特定セルへのアクセス権をＵＥ１０が有しているか否か（アクセス権の有無）を報告するようにＵＥ１０に指示してもよい。或いは、指示部２３は、特定セルの識別子（例えば、“ＣＳＧ  ＩＤ”）を報告するようにＵＥ１０に指示する。
【００７９】
なお、上述した判定部２２は、ＵＥ１０から報告された特定セルへのアクセス権の有無によって、特定セルへのアクセス権をＵＥ１０が有しているか否かを特定する。或いは、上述した判定部２２は、ＵＥ１０から報告された特定セルの識別子に基づいて、特定セルを管理する装置（ＨｅＮＢ２１０ＢやＨｅＮＢ−ＧＷ２２０Ｂ）に対して、特定セルへのアクセス権の有無を問い合わせてもよい。
【００８０】
さらに、指示部２３は、判定部２２によって判定されたアクセス種別、すなわち、受信品質を測定すべき特定セルに設定されるアクセス種別（“Ｃｌｏｓｅｄ”、“Ｈｙｂｒｉｄ”、“Ｏｐｅｎ）をＵＥ１０に指示してもよい。
【００８１】
例えば、指示部２３は、図４に示すフォーマットによって、各種情報をＵＥ１０に指示する。図４に示すように、「アクセス種別」欄には、受信品質を測定すべき特定セルに設定されるアクセス種別（ここでは、“Ｃｌｏｓｅｄ”、“Ｈｙｂｒｉｄ”）が記述される。「アクセス権判定要否」欄には、特定セルへのアクセス権の有無を判定／報告すべきか否かを指示する情報（ここでは、“ＯＦＦ”）が記述される。「特定セル識別子報告要否」欄には、特定セルの識別子を報告すべきか否かを指示する情報（ここでは、“ＯＮ”）が記述される。
【００８２】
図４に示す例では、ＵＥ１０は、“Ｃｌｏｓｅｄ”又は“Ｈｙｂｒｉｄ”の特定セルから報知される信号の受信品質をネットワーク装置２０に報告する。また、ＵＥ１０は、セルサーチ等によって見つかった特定セルの識別子をネットワーク装置２０に報告する。一方で、ネットワーク装置２０は、ＵＥ１０から報告された特定セルの識別子に基づいて、特定セルを管理する装置（ＨｅＮＢ２１０ＢやＨｅＮＢ−ＧＷ２２０Ｂ）に対して、特定セルへのアクセス権の有無を問い合わせる。
【００８３】
なお、ネットワーク装置２０（指示部２３）からＵＥ１０に対する指示は、報知情報（例えば、Ｓｙｓｔｅｍ  Ｉｎｆｏｒｍａｔｉｏｎ  Ｂｌｏｃｋ）によって報知されてもよく、個別情報（例えば、Ｍｅａｓｕｒｅｍｅｎｔ  Ｃｏｎｔｒｏｌ）によって通知されてもよい。
【００８４】
（移動通信システムの動作）
以下において、第１実施形態に係る移動通信システムの動作について、図面を参照しながら説明する。図５は、第１実施形態に係る移動通信システム１００の動作を示すシーケンス図である。
【００８５】
ここでは、ＵＥ１０が第１通信システム（マクロセル１１１Ａ）と通信を行っており、ネットワーク装置２０（ＲＮＣ１２０Ａ）が特定セルから報知される信号の受信品質の測定要否を判定するケースについて例示する。また、第１通信システム（マクロセル１１１Ａ）から第２通信システム（特定セル２１１Ｂ）へのハンドオーバについて例示する。
【００８６】
図５に示すように、ステップ１０において、ＵＥ１０は、第１通信システム（マクロセル１１１Ａ）と通信を行っている。
【００８７】
ステップ２０において、ＲＮＣ１２０Ａは、特定セル２１１Ｂから報知される信号の受信品質の測定要否を判定するために必要な情報を取得する。例えば、ＲＮＣ１２０Ａは、ＵＥ１０の移動速度、ＵＥ１０の位置情報、及び、特定セル２１１Ｂの利用状況を取得する。
【００８８】
ステップ３０において、ＲＮＣ１２０Ａは、ＵＥ１０の移動速度、ＵＥ１０の位置情報、及び、特定セル２１１Ｂの利用状況のうち、少なくともいずれか一つの情報に基づいて、特定セル２１１Ｂから報知される信号の受信品質をＵＥ１０に測定させるか否かを判定する。
【００８９】
ステップ４０において、ＲＮＣ１２０Ａは、ＵＥ１０に対して、“Ｍｅｓｕｒｅｍｅｎｔ  Ｃｏｎｔｒｏｌ”を送信する。なお、“Ｍｅｓｕｒｅｍｅｎｔ  Ｃｏｎｔｒｏｌ”は、特定セル２１１Ｂから報知される信号の受信品質をＵＥ１０に測定させるか否かを示す情報を含む。また、“Ｍｅｓｕｒｅｍｅｎｔ  Ｃｏｎｔｒｏｌ”は、受信品質を測定すべき特定セルに設定されるアクセス種別（“Ｃｌｏｓｅｄ”、“Ｈｙｂｒｉｄ”、“Ｏｐｅｎ）を示す情報（例えば、図４に示す「アクセス種別」）、特定セルへのアクセス権をＵＥ１０が有しているか否か（アクセス権の有無）を報告するようにＵＥ１０に指示する情報（例えば、図４に示す「アクセス権判定要否」）、又は、特定セルの識別子（例えば、“ＣＳＧ  ＩＤ”）を報告するようにＵＥ１０に指示する情報（例えば、図４に示す「特定セル識別子報告要否」）を含んでもよい。
【００９０】
ステップ５０において、ＵＥ１０は、ＲＮＣ１２０Ａの判定結果に基づいて、特定セル２１１Ｂから報知される信号の受信品質を測定するか否かを判定する。続いて、ＵＥ１０は、特定セル２１１Ｂから報知される信号の受信品質を測定すると判定された場合に、特定セル２１１Ｂから報知される信号の受信品質を測定する。一方で、ＵＥ１０は、特定セル２１１Ｂから報知される信号の受信品質を測定しないと判定された場合に、特定セル２１１Ｂから報知される信号の受信品質を測定しない。
【００９１】
なお、ＵＥ１０は、“Ｍｅｓｕｒｅｍｅｎｔ  Ｃｏｎｔｒｏｌ”によって受信品質を測定すべき特定セルに設定されるアクセス種別が示されている場合には、受信品質を測定すべき特定セルとして特定セル２１１Ｂに設定されるアクセス種別が示されているか否かを判定する。続いて、ＵＥ１０は、特定セル２１１Ｂに設定されるアクセス種別が“Ｍｅｓｕｒｅｍｅｎｔ  Ｃｏｎｔｒｏｌ”によって示されている場合に、特定セル２１１Ｂから報知される信号の受信品質を測定する。一方で、ＵＥ１０は、特定セル２１１Ｂに設定されるアクセス種別が“Ｍｅｓｕｒｅｍｅｎｔ  Ｃｏｎｔｒｏｌ”によって示されていない場合に、特定セル２１１Ｂから報知される信号の受信品質を測定しない。
【００９２】
ここでは、特定セル２１１Ｂから報知される信号の受信品質を測定すると判定されたケースについて例示する。従って、ＵＥ１０は、特定セル２１１Ｂから報知される信号の受信品質を示す情報（Ｍｅａｓｕｒｅｍｅｎｔ  Ｒｅｐｏｒｔ）をＲＮＣ１２０Ａに報告する。
【００９３】
ステップ６０において、ＲＮＣ１２０Ａは、マクロセル１１１Ａから特定セル２１１Ｂへのハンドオーバを要求する情報（ＲＥＬＯＣＡＴＩＯＮ  ＣＯＭＭＡＮＤ）をＨｅＮＢ２１０Ｂ（又は、ＨｅＮＢ−ＧＷ２２０Ｂ）に送信する。
【００９４】
ステップ７０において、ＨｅＮＢ２１０Ｂ（又は、ＨｅＮＢ−ＧＷ２２０Ｂ）は、マクロセル１１１Ａから特定セル２１１Ｂへのハンドオーバを要求する情報（ＨＡＮＤＯＶＥＲ  ＣＯＭＭＡＮＤ）をＵＥ１０に送信する。
【００９５】
ステップ８０において、ＵＥ１０は、マクロセル１１１Ａから特定セル２１１Ｂへのハンドオーバが完了したことを示す情報（ＨＡＮＤＯＶＥＲ  ＣＯＭＰＬＥＴＥ）をＨｅＮＢ２１０Ｂ（又は、ＨｅＮＢ−ＧＷ２２０Ｂ）に送信する。
【００９６】
ステップ９０において、ＵＥ１０は、第２通信システム（特定セル２１１Ｂ）と通信を行う。
【００９７】
（作用及び効果）
第１実施形態では、ＵＥ１０又はネットワーク装置２０は、ＵＥ１０の移動速度、ＵＥ１０の位置情報、及び、特定セルの利用状況のうち、少なくともいずれか一つの情報に基づいて、特定セルから報知される信号の受信品質を測定するか否かを判定する。従って、特定セルから報知される信号の受信品質の測定／報告を選択的に行うことができる。
【００９８】
［変更例１］
以下において、第１実施形態の変更例１について、図面を参照しながら説明する。以下においては、第１実施形態との相違点について主として説明する。
【００９９】
具体的には、第１実施形態では、ＨＮＢ１１０Ｂの上位ノードは、ＨＮＢ−ＧＷ１２０Ｂである。一方で、変更例１では、図６に示すように、ＨＮＢ１１０Ｂの上位ノードは、ＲＮＣ１２０Ａである。
【０１００】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【０１０１】
また、第１実施形態では、ＨｅＮＢ２１０Ｂの上位ノードは、ＨｅＮＢ−ＧＷ２２０Ｂである。一方で、変更例１では、図６に示すように、ＨｅＮＢ２１０Ｂの上位ノードは、ＭＭＥ２３０である。
【０１０２】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【０１０３】
なお、ＨＮＢ−ＧＷ１２０Ｂのみが省略されてもよく、ＨｅＮＢ−ＧＷ２２０Ｂのみが省略されてもよい。
【０１０４】
［変更例２］
以下において、第１実施形態の変更例２について、図面を参照しながら説明する。以下においては、第１実施形態との相違点について主として説明する。
【０１０５】
第１実施形態では、無線アクセスネットワークとして、ＵＭＴＳに対応するＵＴＲＡＮ、ＬＴＥに対応するＥ−ＵＴＲＡＮについて例示した。しかしながら、実施形態は、これに限定されるものではない。
【０１０６】
具体的には、無線アクセスネットワークとしては、図７に示すように、ＵＴＲＡＮ３２０及び、Ｅ−ＵＴＲＡＮ３３０、ＷｉＭＡＸ３４０、フェムトＮＷ３５０などが考えられる。なお、これらの無線アクセスネットワークは、ＩＭＳ（ＩＰ  Ｍｕｌｔｉｍｅｄｉａ  Ｓｕｂｓｙｓｔｅｍ）３１０に接続される。フェムトＮＷ３５０は、上述した特定セルを有する無線アクセスネットワークである。
【０１０７】
ここで、フェムトＮＷ３５０に設けられた特定セルから報知される信号の受信品質を測定否かを判定する第１実施形態については、ＵＴＲＡＮ３２０、Ｅ−ＵＴＲＡＮ３３０又はＷｉＭＡＸ３４０にＵＥ１０が存在しているケースにも適用することができる。
【０１０８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０９】
上述した実施形態では、マクロセル１１１ＡにＵＥ１０が存在する場合に、特定セル２１１Ｂから報知される信号の受信品質を測定するか否かを判定するケースについて例示した。しかしながら、実施形態はこれに限定されるものではない。具体的には、マクロセル１１１ＡにＵＥ１０が存在する場合に、特定セル１１１Ｂから報知される信号の受信品質を測定するか否かを判定してもよい。マクロセル２１１ＡにＵＥ１０が存在する場合に、特定セル１１１Ｂ又は特定セル１１１Ｂから報知される信号の受信品質を測定するか否かを判定してもよい。
【０１１０】
なお、上述したＵＥ１０の動作は、ハードウェアによって実施されてもよいし、プロセッサによって実行されるソフトウェアモジュールによって実施されてもよいし、両者の組み合わせによって実施されてもよい。
【０１１１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ１０内に設けられていてもよい。また、かかる記憶媒体及びプロセッサは、ディスクリートコンポーネントとしてＵＥ１０内に設けられていてもよい。
【符号の説明】
【０１１３】
１０…通信端末装置、１１…通信部、１２…判定部、１３…測定部、１４…報告部、２０…ネットワーク装置、２１…通信部、２２…判定部、２３…指示部、１１０Ａ…ＮＢ、１１０Ｂ…ＨＮＢ、１１１Ａ…マクロセル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…マクロセル、２１１Ｂ…特定セル、２２０Ｂ…ＨｅＮＢ−ＧＷ、２３０…ＭＭＥ、５０…コアネットワーク、１００…移動通信システム、３１０…ＩＭＳ、３２０…ＵＴＲＡＮ、３３０…Ｅ−ＵＴＲＡＮ、３４０…ＷｉＭＡＸ、３５０…フェムトＮＷ
【図１】
2011114849.tif 000003
【図２】
2011114849.tif 000004
【図３】
2011114849.tif 000005
【図４】
2011114849.tif 000006
【図５】
2011114849.tif 000007
【図６】
2011114849.tif 000008
【図７】
2011114849.tif 000009